(57)【要約】          本発明は、単語情報提供システムに関するものであって、さらに詳しくは、単語が記録された印刷物を撮像機器（１００）が撮像してイメージを生成し、情報機器（２００）が上記生成されたイメージから単語を生成し、生成された単語を検索機器（３００）に伝送して、上記検索機器（３００）が生成された単語に適合する情報を提供する単語情報提供システムに関するものである。従って、本発明は、複雑な言語体系、または日常的に使わない単語、及び使用者が熟知しない単語に対して、カメラで撮像して生成したイメージから単語を生成し、生成された単語を電子辞書、インターネット検索エンジンに入力することにより、単語に対する情報を早くて、かつ簡単に検索することができる有用な效果がある。【選択図】          図３
2010525445.tif 000002
【特許請求の範囲】
【請求項１】
単語が記録された印刷物を撮像してイメージを生成する撮像機器（１００）と、
上記撮像機器から生成されたイメージを受信し、受信されたイメージから文字認識が容易な形態のイメージに変換し、変換されたイメージから使用可能な単語を生成する情報機器（２００）と、
上記生成された使用可能な単語に適合する情報を検索して表示する検索機器（３００）とを備え、
上記情報機器（２００）は、
上記撮像機器（１００）から生成されたイメージを受信する送受信インターフェース部（２０１）と、
上記受信されたイメージを一時的に保存し、一時的に保存されたイメージを文字認識が容易な形態のイメージに変換するイメージ前処理機（２０２）と、
上記イメージ前処理機によって文字認識が容易な形態に変換されたイメージにベースラインを設定して、上記ベースラインから左側または右側に生成された第一番目の単語を認識して生成する文字認識機（２０３）と、
上記文字認識機によって生成された単語の中で、第一番目の単語のみを受信して使用者が検索しようとする使用可能な単語であることを判断し、上記文字認識機（２０３）から１つの文字のみで構成される単語、即ち、価値のない単語を受信した場合には、上記送受信インターフェース部（２０１）を通じて撮像機器に再撮像命令を伝送する認識後処理機（２０４）と、
上記判断された使用可能な単語に適合する情報を抽出するために、上記検索機器と連動されるアプリケーション部（２０５）とで構成されることを特徴とする単語情報提供システム。
【請求項２】
上記撮像機器（１００）は、上記再撮像命令によって自動的に再撮像したり、または撮像機器の表示部に再撮像に関するメッセージが表示されることを特徴とする請求項１記載の単語情報提供システム。
【請求項３】
上記検索機器（３００）は、電子辞書またはインターネット検索エンジンが備えられた機器であることを特徴とする請求項１記載の単語情報提供システム。
【発明の詳細な説明】
【技術分野】
【０００１】
本発明は、単語情報提供システムに関するものであって、さらに詳しくは、撮像機器で単語が記録された印刷物を撮像してイメージを生成し、情報機器で上記生成されたイメージから単語を生成して、生成された単語を検索機器に伝送し、上記検索機器で生成された単語に適合する情報を提供する単語情報提供システムに関するものである。
【背景技術】
【０００２】
図１は、従来の単語入力と単語入力による情報提供システムの構成図であり、上記システムは、インターネット通信が可能なクライアント（１０）と統合ポータルサイトを運営する情報提供サーバー（２０）とで構成される。
【０００３】
上記のように構成されたシステムは、通常キーボードを利用して上記クライアントに単語を入力すると、統合ポータルサイトを運営する情報提供サーバー（２０）によって上記単語に適合する情報をクライアントに提供することによって、使用者が情報を獲得することができた。
【０００４】
しかし、上記のような従来の技術は、使う言語によって、使われるキーボードの排列が異なり、中国語のような複雑な体系の単語、または日常的に使わない単語、または辞書で学べない単語を入力して、入力された単語を再検索するには様々な困難があった。
【発明の概要】
【発明が解決しようとする課題】
【０００５】
従って、本発明は、上記問題点を解決するために創出されたものであって、本発明は、検索しようとする単語を撮像機器で撮像して生成したイメージを情報機器に伝送し、伝送されたイメージから単語を抽出し、抽出された単語を検索機器に伝送して、単語に適合する情報を獲得することをその目的とする。
【０００６】
本発明の他の利点、対象、特徴は、以下の明細書で部分的に説明し、一部は当該技術分野に属する者が実験を通じて容易に理解することができ、また、発明の実施から容易に理解することができる。
【課題を解決するための手段】
【０００７】
上記目的を達するための本発明の一実施例によると、単語情報提供システムは、単語が記録された印刷物を撮像してイメージを生成する撮像機器と、上記生成されたイメージを受信し、受信されたイメージから文字認識が容易な形態のイメージに変換して、変換されたイメージから使用可能な単語を生成する情報機器と、上記生成された使用可能な単語に適合する情報を検索して表示する検索機器とで構成されることを特徴とする。
【図面の簡単な説明】
【０００８】
本発明の上記のような目的、その他の特徴及び長所は、添付された図面を参照して好ましい実施例を詳しく説明することによって、さらに明らかになる。
【図１】従来の単語情報提供システムの構成図である。
【図２】本発明による単語情報提供システムの構成図である。
【図３】上記図２の単語情報提供システムにおける情報機器のブロック図である。
【発明を実施するための形態】
【０００９】
図２は、本発明による単語情報提供システムの構成図であって、上記単語認識システムは、撮像機器（１００）と、情報機器（２００）と、検索機器（３００）とで構成される。
【００１０】
このように構成された単語情報提供システムは、上記構成要素によって使用可能な単語に適合する情報を使用者に提供し、例えば、本発明を利用する使用者が、本を読む過程で、不慣れではあるが、使用可能な単語、即ち、言語体系が異なる単語、または日常的に使わない単語、または学べない単語などが現われると、上記使用可能な単語に関する情報を獲得するために、撮像機器（１００）で上記使用可能な単語を撮像してイメージを生成し、生成されたイメージは、情報機器（２００）によってイメージに記録された使用可能な単語を生成し、上記生成された使用可能な単語を検索機器（３００）に伝送して、上記生成された使用可能な単語に適合する情報を抽出する。
【００１１】
上記撮像機器（１００）は、単語が記録された印刷物を撮像して生成されたイメージを単語認識装置（２００）に伝送し、移動通信端末機に備えられたカメラ、デジタルカメラなどが好ましい。
【００１２】
上記情報機器（２００）は、図３に図示されたように、送受信インターフェース部（２０１）と、イメージ前処理機（２０２）と、文字認識機（２０３）と、認識後処理機（２０４）と、アプリケーション部（２０５）とで構成される。
【００１３】
上記送受信インターフェース部（２０１）は、単語が記録された印刷物を撮像して、撮像機器（１００）が生成されたイメージをＵＳＢ（Ｕｎｉｖｅｒｓａｌ  Ｓｅｒｉａｌ  Ｂｕｓ）、ＩｒＤＡ（Ｉｎｆｒａｒｅｄ  Ｄａｔａ  Ａｓｓｏｃｉａｔｉｏｎ）、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）、ＷＵＳＢ（Ｗｉｒｅｌｅｓｓ  Ｕｎｉｖｅｒｓａｌ  Ｓｅｒｉａｌ  Ｂｕｓ）、ブルートゥース（Ｂｌｕｅｔｏｏｔｈ）、及びジグビー（ｚｉｇＢｅｅ）などの通信手段を通じて受信する。
【００１４】
また、上記送受信インターフェース部（２０１）は、認識後処理機（２０４）で１つの文字のみで構成された単語、即ち、価値のない単語と判断する場合には、単語が記録された印刷物を再撮像するように撮像機器（１００）に再撮像命令を伝送する。
【００１５】
このとき、上記認識後処理機（２０４）で価値のない単語と判断される場合に対しては、下記で説明される認識後処理機（２０４）で詳しく説明する。
【００１６】
上記イメージ前処理機（２０２）は、送受信インターフェース部（２０１）から受信されたイメージを一時的に保存し、上記一時的に保存されたイメージを文字認識が容易な形態にイメージを変換し、変換されたイメージを文字認識機（２０３）に伝送する。
【００１７】
同時に、イメージ前処理機（２０２）が、撮像機器（１００）から撮像されたイメージに含まれた使用可能な単語に適合する情報を検索機器（３００）で検索するのに必要な時間、または検索された情報を使用者が閲覧する時間など様々な場合があるので、送受信インターフェース部から受信されたイメージを一時的に保存するのである。
【００１８】
上記文字認識機（２０３）は、周知の慣用技術、または公知された技術による文字認識アルゴリズムを通じて、イメージ前処理機（２０２）で文字認識が容易な形態に変換されたイメージから単語を生成する。
【００１９】
このように、文字認識機（２０３）は、生成された単語が２つ以上ある場合もあるので、ベースラインを設定して、ベースラインから左側または右側に生成された第一番目の単語を使用者が検索しようとする単語と判断し、上記第一番目の単語のみを認識後処理機（２０４）に伝送する。
【００２０】
上記認識後処理機（２０４）は、文字認識機（２０３）によって生成された単語が使用可能な単語であるか、または価値のない単語であるかを判断する。
【００２１】
例えば、本発明の情報機器を用いて、不慣れではあるが、使用可能な単語、即ち、言語体系が異なる単語、または日常的に使わない単語、または学べない単語などをカメラで撮像するにあたって、１つの文字のみで構成された単語、即ち、「ａ」、「Ｉ」、「ｍ」などのような単語は通常使用者が熟知している単語であるので、このような単語が文字認識機（２０３）でイメージから単語を生成した場合、価値のない単語と判断する。
【００２２】
このように、価値のない単語に対しては、撮像機器（１００）で撮像ミスと判断して、送受信インターフェース部（２０１）を通じて、撮像機器（１００）に再撮像するようにする命令を伝送し、上記命令伝送は、通常２回繰り返すのが好ましい。
【００２３】
このとき、再撮像するための命令を通じて、撮像機器（１００）が自動的に再撮像することも好ましく、上記命令を撮像機器（１００）の表示部に表示されるようにして、使用者に再撮像するようにすることが好ましい。
【００２４】
一方、上記認識後処理機（２０４）は、文字認識機（２０３）を通じて伝送された不慣れではあるが使用可能な単語、即ち、言語体系が異なる単語、または日常的に使わない単語、または学べない単語などは、上記説明した１つの文字のみからなる単語ではないため、上記不慣れではあるが、使用可能な単語をアプリケーション部（２０５）に伝送する。
【００２５】
上記アプリケーション部（２０５）は、検索機器（３００）と連動されて、認識後処理機（２０４）から受信した使用可能な単語を上記連動される検索機器（３００）に伝送する。
【００２６】
上記検索機器（３００）は、撮像機器（１００）によって撮像された単語が記録された映像物のイメージに対して、上記情報機器（２００）を通じて使用可能な単語が抽出されると、上記抽出された使用可能な単語に適合する情報を検索して表示する。
【００２７】
上記検索機器（３００）は、アプリケーション部（２０５）から使用可能な単語を受信して上記使用可能な単語に適合する意味が検索されるようにする。
【００２８】
上記のような検索機器（３００）は電子辞書が好ましい。上記電子辞書は、アプリケーション部（２０５）から使用可能な単語を受信して、上記使用可能な単語に適合する情報を抽出して使用者に提供する。
【００２９】
さらに、検索機器（３００）は、インターネット検索エンジンが備えられた機器が好ましい。上記検索エンジンが備えられた機器は、アプリケーション部（２０５）から使用可能な単語を受信して上記使用可能な単語に適合する情報をインターネット上で検索されるようにして使用者に提供する。
【産業上の利用可能性】
【００３０】
以上で説明したように、本発明は、複雑な言語体系、または日常的に使わない単語、または使用者が熟知しない単語に対して、カメラで撮像して生成したイメージから使用可能な単語を生成し、生成された使用可能な単語を電子辞書、インターネット検索エンジンに入力することによって、単語に対する情報を早くて、かつ簡単に検索することができる有用な效果がある。
【００３１】
ここまで、本発明に対して詳しく説明したが、その過程で言及した実施例は例示的なものであって、本発明を限定するものではない。本発明は、以下の特許請求の範囲によって提供される本発明の技術的思想や分野を逸脱しない範囲内で、均等に対処されることができる程度の構成要素の変更は、本発明の範囲に属するものとする。
【図１】
2010525445.tif 000003
【図２】
2010525445.tif 000004
【図３】
2010525445.tif 000005
【国際調査報告】
2010525445.tif 000006
2010525445.tif 000007